(57)【特許請求の範囲】
【請求項１】
枠体状のフレーム部に所定間隔で下方に突出した矩形又は台形の形状をした基体部に、ピンチ片部を軸支させたピンチ部を有する物干し具であって、
前記ピンチ部は、隣り合う前記基体部間に設けられた一対の前記ピンチ片部から成り、
前記ピンチ片部は、幅広状の挟持部と、前記基体部の軸孔に挿通する軸部と、該軸部を中心に前記ピンチ片部を回動操作する操作片部と、捩りばねとを有し、前記一対の前記ピンチ片部の向かい合う前記挟持部同士は、前記捩りばねにより近接するように付勢されており、
前記操作片部を操作していない通常時には、前記挟持部の上辺部同士は、Ｖ字状の谷部を形成しており、
前記基体部には上下方向に内設した１つの壁部を設け、前記壁部を介して背中合わせに配置された前記ピンチ片部の前記捩りばねの一端は、それぞれ前記壁部に当接することを特徴とする物干し具。
【請求項２】
前記一対の前記ピンチ片部は、同形であり、互いに表裏が逆になるように配置されていることを特徴とする請求項１に記載の物干し具。
【請求項３】
前記ピンチ片部は全周に渡って両面に張り出された断面Ｔ字状の縁端部を有し、前記軸部を中心として前記捩りばねの一端を前記縁端部の一部を切り欠いた切欠部を介して前記壁部に当接し、前記捩りばねの他端を前記挟持部側の前記縁端部に当接したことを特徴とする請求項１又は２に記載の物干し具。
【請求項４】
前記ピンチ片部には回動規制部を設け、前記壁部の先端に前記回動規制部が当接することで、前記ピンチ片部の所定角度以上の回動を規制したことを特徴とする請求項１〜３の何れか１項に記載の物干し具。
【請求項５】
前記背中合わせに配置された前記ピンチ片部の前記回動規制部は、それぞれ前記壁部の先端に対して、ずらした状態で当接されることを特徴とする請求項４に記載の物干し具。
ている
【請求項６】
前記操作片部は前記軸部を中心として、前記挟持部の延在方向に対して直角方向に延在しており、前記回動規制部は前記軸部を中心として、前記挟持部の延在方向に対して反対方向に延在していることを特徴とする請求項４又は５に記載の物干し具。
【請求項７】
前記基体部の下端角部に設けた前記軸孔に、前記ピンチ片部を軸支したことを特徴とする請求項１〜６の何れか１項に記載の物干し具。
【請求項８】
前記枠体状のフレーム部内を掛け渡す掛渡フレーム部を設け、前記掛渡フレーム部は前記枠体状のフレーム部に対して、段差状に高く配置したことを特徴とする請求項７に記載の物干し具。
【請求項９】
前記枠体状のフレーム部内に橋絡部を設け、該橋絡部に対して回動自在に壁掛フック部を取り付け、該壁掛フック部の先端に、屈曲した壁掛鉤部を設けたことを特徴とする請求項７又は請求項８に記載の物干し具。
【発明の詳細な説明】
【技術分野】
【０００１】
本発明は、洗濯物を保持するピンチ部を取り付けた物干し具に関するものである。
【背景技術】
【０００２】
特許文献１には、一対の可動部で洗濯物を挟み込み、上方に持ち上げることで、洗濯物Ｃを保持するピンチ部１０が開示されている。図１１に示すように特許文献１のピンチ部１０に、洗濯物Ｃを保持させて乾燥させる。
【０００３】
また、特許文献２に示すようなフレーム材に等間隔に多数のピンチ部を吊り下げた物干し用ハンガーは広く利用されている。使用に際しては、フレーム材に懸吊したピンチ部の操作部を指先で押し広げた状態にして、洗濯物をピンチ部の挟持部に挟んで保持するようにする。
【先行技術文献】
【特許文献】
【０００４】
【特許文献１】実開平５−７４４９１号公報
【特許文献２】特開２０１０−９９２６５号公報
【発明の概要】
【発明が解決しようとする課題】
【０００５】
特許文献１のピンチ部１０に洗濯物Ｃを保持させて乾燥させた後に、可動部２０の後端の握り部３０を左右から指で押圧して、図１２に示すように可動部２０の先端部４０を離間させる。先端部４０を離間させることで、洗濯物Ｃはピンチ部１０から落下することになる。
【０００６】
しかし、握り部３０を左右から指で押圧したときに、例えば布地体から成る洗濯物Ｃが先端部４０に引っ掛かる場合がある。図１２に示すように一度、洗濯物Ｃが斜め上方へ延在する先端部４０に引っ掛かると、洗濯物Ｃは自然には落下することがない。
【０００７】
この状態で、洗濯物Ｃを無理に下方に引っ張ると、先端部４０に洗濯物Ｃが喰い込み、場合によっては可動部２０が破損してしまうことになる。従って、握り部３０への指の押圧を一旦解除し、洗濯物Ｃを縦状にして、再度握り部３０に対して指で押圧する必要がある。
【０００８】
また、特許文献１のピンチ部１０は、特許文献２等に示す物干し用ハンガーに用いられるピンチに比べて保持力が若干弱いので、ハンカチ等の布地が薄い洗濯物を保持した際に、抜け落ち易いという問題もある。
【０００９】
本発明の目的は、上述の課題を解消し、洗濯物を下方から上方に挿し込むピンチ部を有し、洗濯物を保持し易く、取り外し時に洗濯物が引っ掛かることがない物干し具を提供することにある。
【課題を解決するための手段】
【００１０】
上記目的を達成するための本発明に係る物干し具は、枠体状のフレーム部に所定間隔で下方に突出した矩形又は台形の形状をした基体部に、ピンチ片部を軸支させたピンチ部を有する物干し具であって、前記ピンチ部は、隣り合う前記基体部間に設けられた一対の前記ピンチ片部から成り、前記ピンチ片部は、幅広状の挟持部と、前記基体部の軸孔に挿通する軸部と、該軸部を中心に前記ピンチ片部を回動操作する操作片部と、捩りばねとを有し、前記一対の前記ピンチ片部の向かい合う前記挟持部同士は、前記捩りばねにより近接するように付勢されており、前記操作片部を操作していない通常時には、前記挟持部の上辺部同士は、Ｖ字状の谷部を形成しており、前記基体部には上下方向に内設した１つの壁部を設け、前記壁部を介して背中合わせに配置された前記ピンチ片部の前記捩りばねの一端は、それぞれ前記壁部に当接することを特徴とする。
【発明の効果】
【００１１】
本発明に係る物干し具によれば、洗濯物を挟持する際には洗濯物をピンチ部の下方から上方へ持ち上げるだけで、簡便に洗濯物を挟持させることが可能である。また、洗濯物を挟持させた後は、ピンチ部から洗濯物がずれ落ちることもなく、乾燥した洗濯物を取り外す際は、洗濯物が引っ掛かることなく簡便に取り込むことができる。
【図面の簡単な説明】
【００１２】
【図１】物干し具を取り付けた物干し用ハンガーを上方から見た状態の斜視図である。
【図２】下方から見た状態の斜視図である。
【図３】側面図である。
【図４】側面図の一部を拡大した拡大説明図である。
【図５】ピンチ片部の挟持部を上方から見た状態の平面図である。
【図６】ピンチ片部間に洗濯物を挟んだ状態の説明図である。
【図７】ピンチ片部間に洗濯物を挟んだ状態の平面図である。
【図８】ピンチ片部間を開放した状態の説明図である。
【図９】壁掛フック部を畳んだ状態の物干し用ハンガーの斜視図である。
【図１０】壁掛フック部を起こした状態の物干し用ハンガーの斜視図である。
【図１１】従来のピンチ部の断面図である。
【図１２】従来のピンチ部に洗濯物が引っ掛かった状態の断面図である。
【発明を実施するための形態】
【００１３】
本発明を図１〜図１０に図示の実施例に基づいて詳細に説明する。
図１は実施例の物干し具を取り付けた物干し用ハンガーを上方から見た状態の斜視図、図２は下方から見た状態の斜視図、図３は側面図である。
【００１４】
物干し用ハンガー１は主として合成樹脂材から成り、大きさは横６０ｃｍ、縦４０ｃｍ程度であり、例えば２２個のピンチ部が略等間隔でフレーム材に取り付けられている。
【００１５】
なお、物干し用ハンガー１の材質は合成樹脂材以外にも、アルミニウム製等の金属製であってもよく、適宜の材料を採用することができる。また、大きさやピンチ部の数は適宜な寸法、個数とすることができる。
【００１６】
物干し用ハンガー１は長手方向に沿う一対の横フレーム部２と短手方向に沿う一対の縦フレーム部３とから成る主枠部４を有し、横フレーム部２にはこれらを掛け渡す２本の掛渡フレーム部５が設けられている。なお、一対の掛渡フレーム部５を図示しているが、掛渡フレーム部５は複数対であったり、更に縦フレーム部３間を掛け渡すように配置するようにしてもよい。
【００１７】
掛渡フレーム部５間の略中央には、掛渡フレーム部５間に掛け渡し、Ｈ字状から成る橋絡部６が設けられており、更に橋絡部６の中央には吊下げ用のフック部７が設けられている。
【００１８】
また、掛渡フレーム部５と橋絡部６との接続個所は、掛渡フレーム部５に設けた後述する基体部により、掛渡フレーム部５の高さ方向の幅が狭くなる個所であり、橋絡部６は掛渡フレーム部５の補強も兼ねている。同様に、縦フレーム部３、掛渡フレーム部５の各フレームの高さ方向の幅が狭くなる個所同士を掛け渡す補強用橋絡部を別途に設けるようにしてもよい。
【００１９】
橋絡部６の中央上部には、一対の半円板部６ａが間隔を開けて立設されており、これらの半円板部６ａ間に回動可能な円柱部７ａが半円板部６ａに設けた図示しない軸部に軸支されている。鉤状部７ｂは図３に示すように下端を円柱部７ａの孔部７ｃに挿通して回動可能に固定され、更に半円板部６ａの円弧に沿って鉤状部７ｂを自在に移動することが可能としている。
【００２０】
横フレーム部２、縦フレーム部３、掛渡フレーム部５の各フレーム部は、断面逆Ｕ字状であってＵ字溝を有しており、底面側が開放されている。また、横フレーム部２、縦フレーム部３、掛渡フレーム部５には、所定間隔で下方に突出する矩形状又は台形状の基体部８が形成されており、これらの基体部８の下端側の２つの角部８ａには軸孔８ｂがそれぞれ設けられている。そして、１個のピンチ部９は隣り合う２個の基体部８間に設けられている。
【００２１】
また、図３に示すように、物干し用ハンガー１を側面方向からを見た場合に、縦フレーム部３の基体部８と掛渡フレーム部５の基体部８は交互になるように配置されている。このように配置することで、対向する縦フレーム部３のピンチ部９で挟持した洗濯物Ｃと、対向する掛渡フレーム部５のピンチ部９で挟持した洗濯物Ｃとが接触することがない。
【００２２】
また、図３に示すように掛渡フレーム部５は縦フレーム部３より若干高い位置に配置され、縦フレーム部３と掛渡フレーム部５とは段差状に配置されている。このように縦フレーム部３に対して、内側に設けた掛渡フレーム部５を段差状に高く配置することで、対向する縦フレーム部３のピンチ部９で挟持した洗濯物Ｃの中央部が掛渡フレーム部５の基体部８に接触し難くなる。従って、洗濯物Ｃの中央部が掛渡フレーム部５への接触を防ぐことで、洗濯物Ｃが乾き易くなる。
【００２３】
図４は図３の側面図の一部を拡大した拡大説明図であり、図４に示すように基体部８の中間の内側内部には、係止部として作用する壁部８ｃが上下方向に内設されている。この壁部８ｃの高さは基体部８の上下方向の長さよりも若干短くされている。なお、図４は壁部８ｃとピンチ部９との関係を理解し易くするため、横フレーム部２の手前側側面は点線として示している。
【００２４】
ピンチ部９は左右同形の一対のピンチ片部９ａ、９ｂから構成され、これらのピンチ片部９ａ、９ｂには、針金等から成る捩りばね９ｃが取り付けられている。
【００２５】
ピンチ片部９ａ、９ｂの色は、向かい合うフレーム部間のピンチ片部９ａ、９ｂ同士では同色となるようにし、両側に配置されるピンチ部９とは異なる色のピンチ部９を配置することが好適である。
【００２６】
このようにすることで、後述する洗濯物を干す際に、使用するフレーム部間のピンチ部９を間違えることがなく、更に指で摘むピンチ片部９ａ、９ｂの組み合わせも間違えることがない。
【００２７】
ピンチ片部９ａ、９ｂは、補強及び後述する圧接のために、ほぼ全周に渡って両面に張り出され断面Ｔ字状の縁端部９ｄと、洗濯物を挟持するために一対のピンチ片部９ａ、９ｂ同士が向かい合う挟持部９ｅと、基体部８の軸孔８ｂに軸支し円柱状に突出した軸部９ｆと、軸部９ｆを中心としてピンチ片部９ａ、９ｂを回動させる操作片部９ｇと、壁部８ｃの下端に当接することによりピンチ片部９ａ、９ｂの回動を規制する回動規制部９ｈとを有している。
【００２８】
軸部９ｆはピンチ部９の表面と裏面の両面の同位置に一対として設けられており、回動規制部９ｈは縁端部９ｄの厚みの１／２の厚みを有し、片側に寄せた状態となっている。
【００２９】
操作片部９ｇは軸部９ｆを中心として、挟持部９ｅの延在方向に対して略９０度ずれた直角方向に延在されており、回動規制部９ｈは軸部９ｆを中心として、挟持部９ｅの延在方向に対して略１８０度ずれた反対方向に延在されている。
【００３０】
挟持部９ｅは幅広状であって側面が円弧形状とされており、ピンチ片部９ａ、９ｂを捩りばね９ｃの付勢力に抗して軸部９ｆを中心に回動すると、挟持部９ｅ同士の近接する位置が回動につれ移動するようになっている。そして、ピンチ片部９ａ、９ｂの回動が上方にゆくにつれ、挟持部９ｅの先端同士の間隙は拡がるようにされている。
【００３１】
また、図４に示すように操作片部９ｇを操作していない通常時には、ピンチ片部９ａ、９ｂの挟持部９ｅの上辺部９ｉ同士は、Ｖ字状の谷部を形成している。これらの上辺部９ｉから連続し、挟持部９ｅの先端面上には、洗濯物に対する滑り止め用の多数の滑り止め溝９ｊが設けられている。同様に、操作片部９ｇの面上にも指滑り防止用の多数の滑り止め溝９ｊが形成されている。
【００３２】
隣接する基体部８間に取り付けられた一対のピンチ片部９ａ、９ｂは、同じ形状のものを表裏が互いに逆になるようにして、左右同形とすることにより部品点数を少なくしている。つまり、一方の側のピンチ片部９ａが表向に配置されており、他方の側のピンチ片部９ｂが裏向きに配置されている。
【００３３】
また、図５はピンチ片部９ａ、９ｂの上辺部９ｉを上方から見た状態の平面図であり、挟持部９ｅの先端は水平方向に段差部９ｌを備えている。ピンチ片部９ａを表向に配置し、ピンチ片部９ｂを裏向きに配置することから、滑り止め溝９ｊの段差部９ｌ同士が噛み合うように配置されることになる。
【００３４】
ピンチ片部９ａ、９ｂを基体部８に取り付ける際には、図４に示すように捩りばね９ｃの巻回中心を軸部９ｆに挿通して軸支したピンチ片部９ａ、９ｂを、基体部８の下方から上方へ移動させて角部８ａに押し込む。ピンチ片部９ａ、９ｂを角部８ａに押し込むことで、軸部９ｆが軸孔８ｂに嵌合して、基体部８に対して回動自在に取り付けることができる。
【００３５】
ピンチ片部９ａ、９ｂを基体部８に取り付ける前の捩りばね９ｃは、一方の端部９ｋが回動規制部９ｈの近傍の縁端部９ｄの一部を切り欠いた切欠部９ｍから突出している。他方の端部９ｎは縁端部９ｄに設けたばね受部９ｏに引っ掛けると共に、縁端部９ｄの内壁に当接している。
【００３６】
ピンチ片部９ａ、９ｂを基体部８に取り付けた後は、捩りばね９ｃの端部９ｋは切欠部９ｍを介して壁部８ｃに当接し、回動規制部９ｈの上辺は壁部８ｃの先端に当接することになる。
【００３７】
従来の物干し用ハンガーは、ピンチ部を取り付けるために、ピンチ部の製造工程、吊り下げる紐状体の取り付け工程等の多数の工程が必要なのに対して、本実施例の物干し用ハンガー１は、捩りばね９ｃを取り付けたピンチ片部９ａ、９ｂを角部８ａに対して押し込むだけで取り付けが完了するため、作業工程が大幅に減少し、製造コストを軽減することが可能である。
【００３８】
軸部９ｆに捩りばね９ｃを挿通した状態で取り付けられたピンチ片部９ａ、９ｂの挟持部９ｅは、捩りばね９ｃにより付勢力が下方に向けられた状態となる。ただし、回動規制部９ｈが壁部８ｃの先端に当接するので、この位置でピンチ片部９ａ、９ｂの回動は停止状態となる。
【００３９】
なお、隣接するピンチ部９の背中合わせのピンチ片部９ａ、９ｂにおいては、双方の回動規制部９ｈが、１つの壁部８ｃの先端に対してずらした状態で当接されている。これは、同形のピンチ片部９ａ、９ｂの回動規制部９ｈの厚みを薄くし、ピンチ片部９ａ、９ｂを裏返して使用することにより可能としている。
【００４０】
この物干し用ハンガー１を使用する際は、先ず物干し竿等に対して、回動可能な鉤状部７ｂを係止する。洗濯物を挟持する前のピンチ片部９ａ、９ｂ同士は、上述したように挟持部９ｅ同士が近接した状態で、回動規制部９ｈが壁部８ｃの先端に当接し、所定位置で停止している。
【００４１】
そして、濡れている洗濯物Ｃの挟持するべき個所の布地を両手で引っ張った状態にして、一対のピンチ片部９ａ、９ｂの挟持部９ｅ間に図４の矢印に示すように下方から挿入する。
【００４２】
続いて、図６に示すように、洗濯物Ｃを挟持部９ｅ同士の間に挿入すると、ピンチ片部９ａ、９ｂは軸部９ｆを中心に、下方への付勢力に抗して上方に回動を開始する。挟持部９ｅは円弧状に緩やかに湾曲しているため、ピンチ片部９ａ、９ｂが回動しても、挟持部９ｅの何れかの位置同士が常に近接状態であり、洗濯物Ｃへの挟持力は一定となる。
【００４３】
洗濯物Ｃを上方に持ち上げると、洗濯物Ｃは捩りばね９ｃによる挟持力によって保持されながら上方に移動する。そして、挟持部９ｅの滑り止め溝９ｊで垂直方向に洗濯物Ｃを喰い込ませると同時に、図７に示すように挟持部９ｅの水平上に設けた段差部９ｌにより洗濯物Ｃを喰い込ませる。このようにすることで、洗濯物Ｃを挟持した際に洗濯物Ｃを滑ることなく強固に保持することが可能となる。
【００４４】
更に、挟持部９ｅに濡れた洗濯物Ｃの重量などによる下方に引く力が作用すると、挟持部９ｅ間を狭めようとする動作がなされる。この動作により、洗濯物Ｃに挟持部９ｅの滑り止め用の溝が、図７の洗濯物Ｃを挟んだ状態の平面図に示すようにより一層、洗濯物Ｃに喰い込むことになり挟持が更に強固となる。
【００４５】
洗濯物Ｃの乾燥が終わり、図８に示すように操作片部９ｇ同士を捩りばね９ｃの付勢力に抗して指で矢印の方向へ挟み込むことで、挟持部９ｅ同士が離間するので、洗濯物Ｃは挟持部９ｅから落下し取り込むことができる。
【００４６】
また、図６の洗濯物Ｃを挟持した状態では、幅広状であって上辺部９ｉ同士がＶ字状の谷部を形成している挟持部９ｅにより、洗濯物Ｃの上端が左右の何れかに傾いたとしても挟持部９ｅに引っ掛かることがない。従って、図８に示すように、挟持部９ｅ同士が離間した場合に、洗濯物Ｃは挟持部９ｅに引っ掛からずに必ず落下することになる。
【００４７】
図９、図１０は図１に示す物干し用ハンガー１に、壁掛フック部７ｄを追加した物干し用ハンガー１’の斜視図である。壁掛フック部７ｄ以外の構造については、前述の物干し用ハンガー１と同様である。
【００４８】
壁掛フック部７ｄは、２本の平行するフック棒部７ｅを有しており、これらのフック棒部７ｅが横フレーム部２と平行になるように、橋絡部６に対し回動自在に取り付けられている。フック棒部７ｅの先端は「く」の字状に屈曲し、更に先が９０度に屈曲した壁掛鉤部７ｆが設けられている。
【００４９】
壁掛フック部７ｄを使用する際は、図９に示すように橋絡部６とフック棒部７ｅが平行に接した壁掛フック部７ｄを畳んだ状態から、図１０に示すように壁掛鉤部７ｆを外部の壁の上端に引っ掛けることが可能な状態に、フック棒部７ｅを引き起こす。
【００５０】
フック棒部７ｅを引き起こすと、フック棒部７ｅの根元が掛渡フレーム部５に当接し回動が停止する。そして、傾斜状態となった壁掛フック部７ｄの壁掛鉤部７ｆの屈曲個所は、外部の壁の上端面及び側面と平行になるため、物干し用ハンガー１’を壁の上端に引っ掛けることが可能となる。
【００５１】
更に、縦フレーム部３が壁側面に当接することで、物干し用ハンガー１’は安定して壁に係止される。なお、壁掛フック部７ｄを使用するときには、フック部７は図１０に示すように折り畳んでおくことが好ましい。
【００５２】
このように、洗濯竿等がなく、フック部７を利用することができない場所においては、壁等を利用することで物干し用ハンガー１’に洗濯物Ｃを干すことが可能となる。
【００５３】
また、実施例では多数のピンチ部９を設けた物干し用ハンガー１、１’を用いて説明しているが、図４のピンチ部９を備える構造であれば、肩掛けハンガー等の様々な物干し具に取り付けることができる。
【００５４】
以上説明したように、物干し用ハンガー１によれば、多数の洗濯物Ｃを同時に干すことが可能であり、洗濯物Ｃを挟持する際には洗濯物Ｃを下方から上方へ持ち上げて、ピンチ片部９ａ、９ｂの向かい合う挟持部９ｅを通過させるだけで簡便に洗濯物Ｃを挟持させることが可能となる。
【００５５】
また、長時間干して乾燥させても、挟持部９ｅから洗濯物Ｃがずれ落ちることもなく、乾燥した洗濯物Ｃをピンチ片部９ａ、９ｂから取り外す際は、洗濯物Ｃが引っ掛かることなく簡便に取り込むことができる。
【符号の説明】
【００５６】
１、１’  物干し用ハンガー
２  横フレーム部
３  縦フレーム部
４  主枠部
５  掛渡フレーム部
６  橋絡部
７  フック部
７ｄ  壁掛フック部
７ｆ  壁掛鉤部
８  基体部
８ｃ  壁部
９  ピンチ部
９ａ、９ｂ  ピンチ片部
９ｃ  捩りばね
９ｄ  縁端部
９ｅ  挟持部
９ｆ  軸部
９ｇ  操作片部
９ｈ  回動規制部
９ｉ  上辺部
９ｌ  段差部
９ｍ  切欠部
９ｏ  ばね受部
【図１】
0006705698.tif 000002
【図２】
0006705698.tif 000003
【図３】
0006705698.tif 000004
【図４】
0006705698.tif 000005
【図５】
0006705698.tif 000006
【図６】
0006705698.tif 000007
【図７】
0006705698.tif 000008
【図８】
0006705698.tif 000009
【図９】
0006705698.tif 000010
【図１０】
0006705698.tif 000011
【図１１】
0006705698.tif 000012
【図１２】
0006705698.tif 000013